(57)【要約】      （修正有）【課題】使い勝手が良く、容易に様々な髪型に調製し得る調髪具を提供する。【解決手段】装着者の頭部に適合するよう円弧状に曲げられた板状の主体部１２ａに、その前縁部及び後縁部から、それぞれ前方及び後方に突出するよう多数の櫛歯１２ｂ、１２ｃを設けて成る下側部材と、上記下側部材の主体部１２ａより強く円弧状に曲げられた主体部１１ａの上面にその前後縁に沿って多数の止め歯１１ｃを設けて成る上側部材を、連結部材１３を介して一体に成型して成る。【選択図】図１
0003156056.tif 000002
【実用新案登録請求の範囲】
【請求項１】
装着者の頭部に適合するよう円弧状に曲げられた板状の主体部（１２ａ）に、その前縁部及び後縁部から、それぞれ前方及び後方に突出するよう多数の櫛歯（１２ｂ、１２ｃ）を設けて成る下側部材（１２）と、
上記下側部材（１２）の主体部（１２ａ）より強く円弧状に曲げられた主体部（１１ａ）の上面にその前後縁に沿って多数の止め歯（１１ｂ、１１c）を設けて成る上側部材（１１）を、
連結部材（１３）を介して一体に成型して成る調髪具。
【請求項２】
下側部材（１２）の主体部（１２ａ）から前後に突出する櫛歯（１２ｂ、１２ｃ）が、先細りの円錐台形棒状体であり、それぞれ等間隔に一列に排列されている請求項１に記載の調髪具。
【請求項３】
上部部材（１１）の主体部（１１ａ）の上面に設けた止め歯（１１ｂ、１１ｃ）が、樹木図形様の状形である、請求項１又は２に記載の調髪具。
【考案の詳細な説明】
【技術分野】
【０００１】
本考案は、女子用の調髪具に関する。
【背景技術】
【０００２】
ヘアスタイルは常に女性が最も重視する外見の１つである。
特に、流行に伴ってヘアスタイルも常に変化する現代において、ヘアスタイルのバリエーションを増やす髪飾品はどんどん豊富になっている。
髪挟み、髪串、髪留め、ヘアバンド、髪束ね製品、調髪具などがその例であるが、これらはすべて個性的で流行を捉えたヘアスタイルを目指すためのものである。
【０００３】
しかし、これらの髪飾品はそれぞれ異なる機能を持ち、異なる目的のために使用されるもので、従来の髪飾品の中には頭髪を高く持ち上げてボリューム感を出すものはない。
もし、髪挟みを利用して頭髪を持ち上げるなら、それは長時間を要するだけでなく、たくさんの髪挟みを利用して無理矢理達成することになる。
髪束ね製品を利用するなら、それは髪の毛をきつく束ねることしかできず、変化に富んだヘアスタイルは望めない。
【０００４】
頭髪を無理に持ち上げるなら、そのヘアスタイルはおかしなものになる可能性があり髪にボリュームも生まれない。
髪留めに至っては、頭髪を持ち上げてボリューム感を持たせることは完全に不可能である。ヘアバンドも髪の毛をしっかりとまとめることしかできず、その種類も限られ、頭髪を持ち上げることはできない。
また、市場で見られる調髪具は頭髪を１房にまとめるだけで、頭髪にボリューム感を出すことはできない。
【先行技術文献】
【特許文献】
【０００５】
【特許文献１】実用新案登録第３１００５７０号公報
【考案の概要】
【考案が解決しようとする課題】
【０００６】
このことから、本考案品考案者は従来の髪飾品或いは調髪具の欠点に鑑み、積極的にその解決方法を探った。また、本考案者が持つ専門知識と設計・製造の経験を利用して、多岐にわたる思考と実験を重ねた結果、従来の髪飾品および調髪具に比べて簡単に頭髪にボリュームを持たせることのできる調髪具を考案するに至った。
【課題を解決するための手段】
【０００７】
本考案品は一体成型式の女性用調髪具である。
それは上下がそれぞれ円弧状に曲げられた上側部材及び下側部材を、三日月状に一体成型してなるものである。その上側部材は円弧の曲率半径が比較的小さく、下側部材よりやや強く曲げられており、下側部材の円弧は曲率半径が比較的大きく頭皮に密着し得るようになっている。
上側部材にはその上面の両側縁に沿って、等間隔に立ち並ぶ止め歯の歯列があり、下側部材の前後両側には縁辺から等間隔で前後方向に突出する櫛歯列が設けられている。
【０００８】
使用する時は、先ず手で最上層の頭髪を適量取り分けて少し上に持ち上げ、その下の髪の上にこの調髪具を置く。
それから、調髪具を前に向かって押し進め、前側の櫛歯を頭髪中に差し込み、次いで調髪具を少し後ろに戻して後側の櫛歯が頭髪を挟み込むようにすることにより、調髪具は髪の毛の間に完全にぴったりと固定される。
【０００９】
取り分けた上層の頭髪を調髪具の上側部材の上に置き、上層の髪の毛少量を止め歯の間の隙間に押し込み、隙間に押し込まないその他の上層の髪の毛を自然に均一に上側部材に被せることにより、前後の止め歯列は上層の頭髪に完全に覆われる。
完成したヘアスタイルは、上層の頭髪は持ち上げられ下に垂れる髪の毛と中間層の頭髪により明らかなボリューム感が生まれる。
特に、髪の量が比較的少ない女性は本考案品を使用することにより、髪の量を実際より多く見せることができ、優雅なヘアスタイルを簡単につくり出すことができる。
【考案の効果】
【００１０】
本考案品は一体成型構造の調髪具であり、特に指摘するのは以下の点である。
頭髪にボリューム感を与え、優雅なヘアスタイルをつくり出す調髪具であり、下側部材の端についている櫛歯が髪の毛をしっかりと捉え、上層の頭髪の一部を上側部材の止め歯の間に均等に分散させて入れ込むことによって、簡単に頭髪を挟み込むことができ、その上層の頭髪で優美なヘアスタイルを作り出すことができる。
【図面の簡単な説明】
【００１１】
【図１】本考案に係る調髪具の第１実施例を示す斜視図である。
【図２】図１に示した調髪具の正面図である。
【図３】図２に示した調髪具の一部拡大図である。
【図４】図１ないし図３に示した調髪具の上面図である。
【図５】本考案に係る調髪具の第２実施例を示す正面図である。
【図６】図５に示した調髪具の一部拡大図である。
【図７】本考案に係る調髪具の使用状態の一例を示す説明図である。
【図８】本考案に係る調髪具の使用状態の第二例を示す説明図である。
【図９】本考案に係る調髪具を使用して成るヘアアスタイルの一例を示す説明図である。
【図１０】本考案に係る調髪具を使用して成るヘアアスタイルの他の一例を示す説明図である。
【００１２】
本考案は多くの異なる構造の実施例を包含する。ここで紹介するものはその実施例であり、本考案の構成を限定するものではない。
以下、図面により本考案の望ましい実施例について説明する。
【実施例１】
【００１３】
本考案品に係る一体成型の調髪具の一実施例を、図面により説明する。
尚、本明細書において、上下、左右及び前後と言うときは、装着者から見て、それぞれ上下、左右及び前後と言うものとする。
【００１４】
図１から図５に示すように、本考案に係る一体成型の調髪具１の主体部構造は、上下二層一対の弓形若しくは円弧状に曲げられた上側部材１１及び下側部材１２を、連結部材１３を介して三日月状に一体に結合してなるものである。
この一対の円弧状の上側部材１１及び下側部材１２は、それぞれの主体部１１ａ及び１２ａの端部で連結されており、さらに両部材の相対向する面の間には連結部材１３が設けられ、これにより全体が一体的に成型されている。
【００１５】
下側部材１２は、装着者の頭部に適合するよう円弧状に曲げられた板状の主体部１２ａの前縁部及び後縁部から、それぞれ前方及び後方に突出するよう多数の櫛歯１２ｂ、１２ｃを設けて成るものであり、これにより調髪具１が頭髪に取り付けられるものである。
【００１６】
上側部材１１の主体部１１ａは、下側部材の主体部１２ａよりも強く曲げられた板状体であり、その主体部１１ａの上面にはその前後縁に沿って多数の止め歯１１ｂ、１１cが排列されている。
この止め歯１１ｂ、１１ｃはその上に載せられる頭髪を留め、髪型を調えるためのものである。
【００１７】
本実施例において、この止め歯１１ｂ、１１ｃの形状は図３の拡大表示するように、樹木図形様の形状になっているが、この形状はこのような樹木図形様のものに限定されるものではなく、例えば、図６及び６に示す第二実施例においては、複数の鈎状体から成る形状、即ち、主体部１１ａの表面から起立する短い突起の頂部及び側部に鈎状の突起を設けたものが用いられている。
この止め歯１１ｂ、１１ｃの形状は、頭髪を適宜に留め得るものであれば如何なるものであっても良く、例えば単純な釣り針形、γ字型、鏃型、など如何なるものであっても良いものである。
【００１８】
図５および図６は、前述の如く、本考案に係る第二実施例を示す正面図及びその一部拡大図である。
これらの図に示すように、この調髪具１００は、その上側部材１１１の主体部１１１ａに設けた止め歯１１１ｂ、１１１ｃの形状が前述の第一実際例における止め歯１１ｂ、１１ｃの形状と異なるのみで、他の部分の構成は同様なものである。
【００１９】
図７から図１０に示すように、本考案に係る調髪具１を使用する時は、先ず手で最上層の頭髪を少量取り分けて少し上に持ち上げ、髪の毛を上層（取り分けた髪の毛）と中間層および最下層（頭皮についている髪の毛）に分け、調髪具１を取り分けていない髪の層である中間層の上に置いて下側部材の主体部１２ａを中間層の頭髪上にぴったりとつける。
【００２０】
次に、調髪具１を前方に押して櫛歯１２ｂが上層の頭髪と中間層の頭髪を挟み込むようにしてから、調髪具１を少し後ろに戻して櫛歯１２ｃが中間層および最下層の頭髪を挟みこむようにすることで、調髪具１は髪の毛の間に完全にぴったりと固定される。
【００２１】
更に、取り分けた上層の頭髪を調髪具１の上側部材１１１の主体部１１１ａの上に置き、上層の頭髪少量を止め歯１１ｂ、１１ｃの間の隙間に入れ込み、隙間に入れ込まない上層の髪の毛は自然かつ均一に上側部材１１１に被せる。
然るときは、止め歯１１ｂ、１１cは完全に上層の頭髪に隠れることになり、調髪具は外から完全に見えない状態になる。
完成したヘアスタイルは、上層の頭髪が持ち上げられ、下に垂れた髪の毛と中間層の頭髪に明らかなボリュームが生まれたものとなり、優雅なヘアスタイルを簡単につくり出すことができる。
【００２２】
上述したことを総括すると、本考案品には以下の特徴がある。
１．本考案品の調髪具を利用することによって、簡単に頭髪を高い位置に持ち上げてボリューム感のあるヘアスタイルをつくり出すことができ、優雅で美しいヘアスタイルが実現する。
２．ヘアスタイル完成後、本考案品の調髪具は髪の毛の中に完全に隠れるため、調髪具が外から見えることがなく、その優美さを崩すことがない。
３．櫛歯１２ｂ、１２ｃの前後両方で髪の毛を挟み込むことにより、調髪具１は完全に安定してぴったりと頭髪上に固定される。
４．下側部材の円弧曲線は頭の形を考慮した人体工学に基づくものであることから、調髪具１は快適な装着感を生み出し、頭髪上に置いた時に頭にぴったりと添うようになっている。
５．髪の量が比較的少ない女性は本考案品の調髪具を使用することにより、美しいヘアスタイルを実現させるだけでなく、頭髪を実際より多く、濃く見せることができる。
６．櫛歯１２ｂ、１２ｃの間の隙間を利用することにより、調髪具は更にしっかりと頭髪を挟み込み、外れにくくなっている。
【産業上の利用可能性】
【００２３】
本考案は叙上の如く構成されるから、これを実施すれば多大の利益がある。
【符号の説明】
【００２４】
１      調髪具
１１      上側部材
１１ａ    主体部
１１ｂ    櫛歯
１１ｃ    櫛歯
１２      下側部材
１２ａ    主体部
１２ｂ    止め歯
１２ｃ    止め歯
１３      連結部財
【図１】
0003156056.tif 000003
【図２】
0003156056.tif 000004
【図３】
0003156056.tif 000005
【図４】
0003156056.tif 000006
【図５】
0003156056.tif 000007
【図６】
0003156056.tif 000008
【図７】
0003156056.tif 000009
【図８】
0003156056.tif 000010
【図９】
0003156056.tif 000011
【図１０】
0003156056.tif 000012